(57)【特許請求の範囲】
【請求項１】
表面に取り付けられるように構成されているディスペンサーであって、該ディスペンサーは、
該表面から離れる方向に延在する少なくとも１つのアームを有するブラケットと、
該表面から或る距離を置いて該アームに回転可能に連結されている容器であって、該容器は、
該表面には概ね面しない露出している前部と、該表面に概ね向かって面する後部と、該容器の該前部及び該後部の間に延在するとともに該前部及び該後部を接続している露出している上部及び底部と、該容器の該前部及び該後部間に延在するとともに該前部及び該後部を接続している露出している両側側部と、材料が該容器内から分配供給されるときに通る出口と、
を有し、
該容器は、該出口が実質的に下方向に面した状態で該容器が配向される静止位置を有し、該容器は、該静止位置に向かいかつ該静止位置から離れるように該ブラケットに対して枢動可能である、容器と、
を備える、ディスペンサー。
【請求項２】
該容器は該ブラケットに取り外し可能に連結されている、請求項１に記載のディスペンサー。
【請求項３】
該容器は、該容器の上端付近で該ブラケットに枢動可能に連結されている、請求項１に記載のディスペンサー。
【請求項４】
表面に取り付けられるように構成されているディスペンサーであって、該ディスペンサーは、
該表面から離れる方向に延在する少なくとも１つのアームを有するブラケットと、
該表面から或る距離を置いて該アームに回転可能に連結されている容器であって、該容器は、
該表面には概ね面しない露出している前部と、該表面に概ね向かって面する後部と、該容器の該前部及び該後部間に延在するとともに該前部及び該後部を接続している上部及び底部と、該容器の該前部及び該後部間に延在するとともに該前部及び該後部を接続している両側側部と、材料が該容器内から分配供給されるときに通る出口と、を有し、該容器は、該容器と該ブラケットの少なくとも１つのアームとの間の一対にする嵌合によって該ブラケットに解放可能かつ回転可能に連結されており、該容器は、該出口が実質的に下方向に面した状態で該容器が配向される静止位置を有し、該容器は、該静止位置に向かいかつ該静止位置から離れるように該ブラケットに対して枢動可能である、容器と、
該容器に連結されているとともに該容器の該前部を実質的に覆うカバーであって、該容器を介して該ブラケットに連結されている、カバーと、
を備える、ディスペンサー。
【請求項５】
該カバーは該容器の該両側側部を実質的に覆う、請求項４に記載のディスペンサー。
【請求項６】
該容器は、該容器の上端付近で該ブラケットに枢動可能に連結されている、請求項４に記載のディスペンサー。
【請求項７】
材料を収容し選択的に分配供給するように動作可能なディスペンサーであって、該ディスペンサーは、
容器であって、
突起及びリセスの少なくとも一方を有する第１の端と、
該第１の端から離間しているとともに出口を有する第２の端と、
前面と、
後面と、
該容器の該前面と該後面との間に画定されており、該ディスペンサーから分配供給される材料を収容するように構成されているキャビティと、
を含む、容器と、
ブラケットであって、該容器を該ブラケットに回転可能に連結するとともに該容器を表面上で支持するように、該容器の該突起及び該リセスの該少なくとも一方とそれぞれ一対に嵌合するリセス及び突起の少なくとも一方を含み、該表面から該容器に向かって延在するとともにユーザーが押圧するときに該容器を支持する突出部を更に含む、ブラケットと、
該容器を少なくとも部分的に覆うカバーであって、該カバーを該ブラケットから離すように回転させるときに該容器を持ち上げるように該容器に連結されている、カバーと、
を備える、ディスペンサー。
【請求項８】
該カバーは、該容器の前面、上面及び両側側面を実質的に覆う、請求項７に記載のディスペンサー。
【請求項９】
該カバー上に印を更に含む、請求項７に記載のディスペンサー。
【請求項１０】
該容器は、該表面から離れて該容器に向かって延在する１対のアームによって該ブラケットに連結されている、請求項７に記載のディスペンサー。
【請求項１１】
該容器は、該容器の上端付近で該ブラケットに枢動可能に連結されている、請求項７に記載のディスペンサー。
【請求項１２】
該カバーは該容器を介して該ブラケットに連結されている、請求項７に記載のディスペンサー。
【請求項１３】
選択的に取り外し可能な分配供給可能な容器を表面に固定取り付けする取り付けシステムであって、該取り付けシステムは、
第１の突出部及び第２の突出部を有する容器であって、該第１の突出部は、該容器の回転のアクセスを画定するように該第２の突出部と位置合わせされている、容器と、
該第１の突出部を受け入れるリセスを有する第１のアームと、該第２の突出部を受け入れるリセスを有する第２のアームとを含むブラケットであって、該第１のアームは該第２のアームから離れるように選択的に移動可能である、ブラケットと、
ロック状態及び非ロック状態を有するロック機構であって、該ロック状態では、該第１のアームと該第２のアームとの間の距離が固定され、該非ロック状態では、該第１のアームが該第２のアームから離れるように移動することを可能にする、ロック機構と、
を備える、取り付けシステム。
【発明の詳細な説明】
【技術分野】
【０００１】
様々な材料、例えば限定はされないが、石鹸、消毒剤、殺菌剤を分配供給する多種多様なディスペンサー、並びに他のディスペンサー、及びローション並びに香水を分配供給するように構成されているディスペンサーが存在する。そのようなディスペンサーは、どのような形態の材料でも分配供給することができる。例えば、そのようなディスペンサーは、ガス、蒸気、液体、ゲル、泡、錠剤、ペレット、又は他の形態のものを計量式若しくは非計量式に分配供給するように構成することができる。
【背景技術】
【０００２】
多くの環境及び用途では、ディスペンサーは、単に要求に応じて材料を分配供給すること以上の要件を満たさなければならない。これらの要件は、ディスペンサーの洗浄のし易さ、外観、アクセスのし易さ、及び／又は使い易さに関連付けることができる。例えば、多くの既存のディスペンサーは、それらのハウジング、取り付けブラケット及び他の要素の設計に起因して多くの環境に受け入れ可能というわけではない。これらのディスペンサーの多くは、継目、孔及び他の特徴部を有する複雑な設計を有し、これによって汚れ、分配供給された材料及び他の物質が蓄積する可能性ができてしまうか、又は清掃員がディスペンサーに隣接するエリアを十分に清掃することができることを妨げる。１つのそのようなディスペンサーが、特許文献１に開示されており、これは、壁に固定されるとともに石鹸又は消毒剤のリザーバーを収容しているリアハウジングと、リザーバーを覆っており、リアハウジング及びリザーバーに対して回転可能であるカバープレートとを有するディスペンサー設計を開示している。ユーザーは、特許文献１に開示されているディスペンサーの操作においては、カバープレートを押して当該カバープレートをリアハウジングに向かって回転させ、石鹸を分配供給する。リザーバーが空になると、カバープレートのロックを外して当該カバープレートを上方に回転させることで、リザーバーを取り外して交換し、この時点で、リアハウジングの内部を洗浄することができる。特許文献１に開示されているディスペンサーのリアハウジング又はカバープレートは、カバープレートのロックを外して該カバープレートをリアハウジングから離れるように回転させた場合にしか洗浄することができず、それによって、ディスペンサーを洗浄する難しさが相当に増し、ディスペンサーを多くの環境に適しないものとする可能性がある。
【０００３】
別の例として、ユーザーにとって満足のいく外観を有するディスペンサーは多くは存在せず（また存在するようには容易に適合することができず）、すなわち、多くのディスペンサーは容易に変えることができない外観を有する。多くの場合、これらのディスペンサーの外観は、ディスペンサーの環境に調和するように変えることができないが、これは、例えばホテル及びレストランのバスルーム、並びに美観がより関係する他の場所において特に重要な特徴である。単に例として特許文献１に開示されているディスペンサーを再び参照すると、ユーザーがディスペンサーの色又は全体的な外観を変えることを可能にするような対策はとられていない。
【０００４】
また、多くの既存のディスペンサーは、様々なユーザーが様々なやり方でディスペンサーを操作することが必要な場合がある用途においてはあまり適していない。ユーザーによっては（例えば身体障害のあるユーザー、汚れた手でディスペンサーを触ることを望まないユーザー等）、手を用いることなくディスペンサーを操作する必要があるであろうが、他のユーザーは、片手又は両手でディスペンサーを保持するとともに圧搾することによってディスペンサーを操作することを望む場合がある。特許文献１に開示されているディスペンサーは、多くの他の利用可能なディスペンサーと同様、そのような多用途性を提供することができていない。
【先行技術文献】
【特許文献】
【０００５】
【特許文献１】国際特許出願公開番号第２００１／０２８３９７号
【発明の概要】
【発明が解決しようとする課題】
【０００６】
したがって、依然として新たなディスペンサー設計が当該技術分野に加えられることが待ち望まれている。
【課題を解決するための手段】
【０００７】
本発明のいくつかの実施の形態は、表面に取り付けられるように構成されているディスペンサーであって、該ディスペンサーは、該表面から離れる方向に延在する少なくとも１つのアームを有するブラケットと、該表面から或る距離を置いて該アームに回転可能に連結されている容器であって、該容器は、該表面には概ね面しない露出している前部と、該表面に概ね向かって面する後部と、該容器の該前部及び該後部の間に延在するとともに該前部及び該後部を接続している露出している上部及び底部と、該容器の該前部及び該後部間に延在するとともに該前部及び該後部を接続している露出している両側側部と、材料が該容器内から分配供給されるときに通る出口と、を有し、該容器は、該出口が実質的に下方向に面した状態で該容器が配向される静止位置を有し、該容器は、該静止位置に向かいかつ該静止位置から離れるように該ブラケットに対して枢動可能である、容器と、を備える、ディスペンサーを提供する。
【０００８】
本発明のいくつかの実施の形態では、表面に取り付けられるように構成されているディスペンサーであって、該ディスペンサーは、該表面から離れる方向に延在する少なくとも１つのアームを有するブラケットと、該表面から或る距離を置いて該アームに回転可能に連結されている容器であって、該容器は、該表面には概ね面しない前部と、該表面に概ね向かって面する後部と、該容器の該前部及び該後部間に延在するとともに該前部及び該後部を接続している上部及び底部と、該容器の該前部及び該後部間に延在するともに該前部及び該後部を接続している両側側部と、材料が該容器内から分配供給されるときに通る出口と、を有し、該容器は、該容器と該ブラケットの少なくとも１つのアームとの間の一対にする嵌合によって該ブラケットに解放可能かつ回転可能に連結されており、該容器は、該出口が実質的に下方向に面した状態で該容器が配向される静止位置を有し、該容器は、該静止位置に向かいかつ該静止位置から離れるように該ブラケットに対して枢動可能である、容器と、該容器に連結されているとともに該容器の該前部を実質的に覆うカバーと、を備える、ディスペンサーが提供される。
【０００９】
本発明のいくつかの実施の形態は、材料を収容し選択的に分配供給するように動作可能なディスペンサーであって、該ディスペンサーは、容器であって、突起及びリセスの少なくとも一方を有する第１の端と、該第１の端から離間しているとともに出口を有する第２の端と、前面と、後面と、該容器の該前面と該後面との間に画定されており、該ディスペンサーから分配供給される材料を収容するように構成されているキャビティとを含む、容器と、ブラケットであって、該容器を該ブラケットに回転可能に連結するとともに該容器を表面上で支持するように、該容器の該突起及びリセスの該少なくとも一方とそれぞれ一対に嵌合する該リセス及び突起の少なくとも一方を含み、該表面から該容器に向かって延在するとともにユーザーが押圧するときに該容器を支持する突出部を更に含む、ブラケットと、該容器を少なくとも部分的に覆うカバーであって、該カバーを該ブラケットから離すように回転させるときに該容器を持ち上げるように該容器に連結されているカバーと、を備える、ディスペンサーを提供する。
【００１０】
本発明のいくつかの実施の形態は、選択的に取り外し可能な分配供給可能な容器を表面に固定取り付けする取り付けシステムに関する。取り付けシステムは、第１の突出部及び第２の突出部を有する容器であって、該第１の突出部は、該容器の回転のアクセスを画定するように該第２の突出部と位置合わせされている、容器を備える。取り付けシステムは、該第１の突出部を受け入れるリセスを有する第１のアーム、及び該第２の突出部を受け入れるリセスを有する第２のアームを含むブラケットであって、該第１のアームは該第２のアームから離れるように選択的に移動可能である、ブラケットも備える。取り付けシステムは、ロック状態及び非ロック状態を有するロック機構であって、該ロック状態では、該第１のアームと該第２のアームとの間の距離が固定され、該非ロック状態では、該第１のアームが該第２のアームから離れるように移動することを可能にする、ロック機構も備える。いくつかの実施の形態では、該第１のアームは、入れ子式機構を介して該第２のアームに接続されており、該入れ子式機構は該アーム間の移動を画定する。
【００１１】
本発明の他の態様は、詳細な説明及び添付の図面を検討することによって明らかとなる。
【図面の簡単な説明】
【００１２】
【図１】本発明の一実施形態によるディスペンサーの斜視図である。
【図２】図１のディスペンサーの側面図である。
【図３】図１のディスペンサーをカバーとともに示す斜視図である。
【図４】図１に示されるディスペンサーのブラケットの一実施形態の斜視図である。
【図５】容器に連結されている、図４に示されているブラケットの斜視図である。
【発明を実施するための形態】
【００１３】
本発明のいずれの実施形態も詳細に説明する前に、本発明は、その適用が以下の説明に記載されるか又は添付の図面に示される構成の詳細及び構成要素の配置に限定されないことを理解されたい。本発明は、他の実施形態が可能であり、様々な方法で実施するか又は行うことが可能である。
【００１４】
ディスペンサー１０の第１の実施形態が図１及び図２に示されており、１つ又は複数の材料を収容して選択的に分配供給するように動作可能である。図１及び図２に示されているディスペンサー１０は、液体形態の石鹸を分配供給するように構成されているが、その代わりに、他の形態の任意の他の種類の材料、例えば限定はされないがガス状、蒸気、液体、ゲル、泡、錠剤、ペレット又は他の形態で見られる消毒剤、殺菌剤、シャンプー、及び他の洗浄剤、コンディショナー、ボディーオイル、ローション、香水等のような材料を分配供給するように構成することができる。
【００１５】
図１及び図２に示されているディスペンサー１０はブラケット３４を含み、当該ブラケット３４に、容器１２が解放可能かつ回転可能に取着されている。ユーザーは、容器１２を押圧するか、又はユーザーが自身の指の間で容器１２を圧搾することができる位置まで容器１２を回転させることによって容器１２を圧搾し、それによって、容器内から流体を分配供給することができる。ブラケット３４は、壁、天井、調理台、又は他の表面に連結して、ディスペンサー（及び容器１２）をこれらの表面に対して支持することができる。
【００１６】
図１及び図２に示されているディスペンサー１０は、上面１４、底面１６、前面１８、後面２０、第１の側面２２及び第２の側面２４を有する容器１２を備える。容器１２は、分配供給される少なくとも１つの材料２８（図示される実施形態では単なる例としてシャンプー）を保持するように構成されている内部キャビティ２６を画定している。容器１２は、プラスチック、金属、又は、分配供給される材料及びディスペンサー１０が用いられることになる環境に適した他の材料を含むことができる。
【００１７】
図１及び図２に示されている容器１２は、概ね縦に細長い円形の形状を有するが、他の容器形状が可能であり、本発明の精神及び範囲内に入る。例えば、容器１２は、実質的に円筒形、楕円形又は丸くすることができ、三角形、五角形又は六角形とすることができ、平行六面体又は立方形形状を有することができ、規則的、不規則的、対称、又は非対称な形状を有することができる、といった具合である。したがって、「上部」、「底部」、「前」、「後」、「第１の」及び「第２の」という用語は、容器１２を指すように本明細書において用いる場合、全てのそのような容器形状に適用される。
【００１８】
容器１２は、（以下でより詳細に説明する）ブラケット３４と一対となって嵌合するような形状であり、この目的で適合される１つ又は複数の特徴部を有する。例えば、容器１２は、ブラケット３４と一対となって嵌合するような形状及び寸法の１つ又は複数の突出部又はリセスを有することができる。いくつかの実施形態では、容器１２はブラケット３４に回転可能に連結されており、この場合、突出部又はリセスはそのような相対的な回転を可能にするような形状である。単に例として、図１及び図２に示されている容器１２は、容器１２から、容器１２の上面１４に近接して外方へ延在する２つの突出部３０を有する。図示される実施形態の突出部３０は実質的に円錐形又は切頭円錐形（frusto-conical）の形状とすることができ、ブラケット３４の孔４４と回転可能に一対となる。しかし、ブラケット３４の孔４４と一対となる（実施形態によっては回転可能に一対となる）他の好適な突出部の形状、例えば限定はされないが、円筒形、半球形、平行六面体、及び他の規則的又は不規則的な突出部の形状が可能である。
【００１９】
図４及び図５に示されるようないくつかの実施形態では、ブラケット３４は、ボトル１２をブラケットに設置するとともにブラケットから取り外すために移動するようにともに連結される２つ以上の部品から構成される。図４及び図５に示される実施形態では、ブラケットは３つの部品（３５、３７、３９）を含む。ブラケット３４の第１の部分３５は壁に連結される。ブラケット３４の第２の部分３７は、摺動式又は入れ子式の相互接続部を介してブラケット３４の第１の部品に連結される。ブラケット３４のロックが外された状態では、第２の部分３７を、第１の部分３５に対して入れ子式に移動させて、ブラケットの幅を約１０ｍｍだけ増やすことができる。いくつかの実施形態では、第１の部分と第２の部分との間の移動を制御するために、第１の部分にばね機構が設けられる。いくつかの実施形態では、ブラケットのロックを外すために解放キーを用いることができる。ばねがキーによって作動されると、ロック機構が解放され、ブラケット３４の第２の部分３７が開位置（図５）へ摺動し、したがってユーザーがボトルを取り外して充填又は交換することを可能にする。
【００２０】
ブラケット３４の第２の部分３７が手動で第１の部分３５内へ押し戻されると（図４）、第１の部分及び第２の部分は共に閉位置にロックされる。第１の部分及び第２の部分にはそれぞれ、ボトル１２の対になる突起３０を受け入れるように動作可能な第１の円筒形リセス４１が設けられている。第１の部分及び第２の部分は、第２の円筒形リセス４３を含むことができ、該第２の円筒形リセス４３には、対応する突起（図示せず）を有するボトル１２及びカバー１６０が受け入れられる。第１の円筒形リセス４１及び第２の円筒形リセス４３は、第１の直径及び第２の直径を有し、第１の深さ及び第２の深さを延在する。第１の直径は第２の直径よりも小さく、それによって、ボトル１２を第１の円筒形リセス４１を介してブラケット３４に連結することが可能であり、かつボトル１２及びカバー１６０を第２の円筒形リセス４３を介してブラケット３４に連結することが可能である。ボトル１２がブラケット３４に連結されている場合、ボトル１２はブラケット３４に対して約１８０度にわたって枢動することができる。
【００２１】
引き続き図１及び図２を参照すると、図示されている容器１２は、容器１２の上端付近でブラケット３４に回転可能に連結されており、それによって、容器１２がその上端を中心に回転することが可能となり、かつユーザーが、簡便な分配供給動作のために容器１２を回転位置の範囲で配向することが可能となる。いくつかの実施形態では、容器１２は、このために容器１２の上側半分の１つ又は複数の場所でブラケット３４に連結（例えば回転可能に連結）されている。しかし、他の実施形態では、容器１２は、容器１２の底部を中心に回転するために容器１２の下半分の１つ又は複数の場所でブラケット３４に連結（例えば回転可能に連結）される。更に他の実施形態では、容器１２は、垂直軸、又は垂直軸及び水平軸に対して斜めの軸を中心に回転するようにブラケット３４に連結（例えば回転可能に連結）される。そのような実施形態では、容器１２がブラケット３４に連結される場所は、互いに対して垂直方向に変位させることができる。単に例として、図１及び図２に示されている容器１２及びブラケット３４は、９０度（すなわち容器１２の前面１８に対して実質的に直交する軸を中心に）回転することができ、それによって、容器１２が、図示されているように実質的に水平な軸ではなく実質的に垂直な軸を中心に回転することが可能となる。
【００２２】
図１及び図２に示されている容器１２は、容器１２の底面１６に又は底面１６の近くに位置決めされている分配供給出口３２も含むが、分配供給出口３２は、容器１２の所望の任意の他の表面にも位置付けることができる。容器１２を圧搾するか若しくは押圧するか、又はディスペンサー１０を他の方法で作動させると、内部キャビティ２６内に収容されている或る量の材料が分配供給出口３２を通して分配供給される。分配供給出口３２はまた、容器１２が圧搾も押圧もされない場合、又はディスペンサー１０が他の方法で作動されない場合には、内部キャビティ２６内に材料を保持する。「作動させる」という用語（及びその変化形）は、本明細書及び添付の特許請求の範囲において用いられる場合、材料を容器１２から分配供給させる任意の動作を指し、以下でより詳細に説明するように、同じディスペンサー１０を「作動」させるには２つ以上の方法があり得ることが理解される。
【００２３】
いくつかの実施形態では、ディスペンサー１０を作動させると、一定であるか又は実質的に一定の量の材料２８が容器１２から分配供給される。他の実施形態では、ディスペンサー１０を作動させると、例えば容器１２に加えられる異なる量の力及び／又は異なる長さの作動時間によって可変量の清浄剤２８を容器１２から分配供給することができる。
【００２４】
図１及び図２に示されているディスペンサーのブラケット３４は、壁、パーティション、隔壁、又は任意の他の取り付け表面に所望の任意の向きで連結することができ、図示されている実施形態では、分配供給出口３２が容器１２の底部にある状態で、また突出部３０が容器１２の上部にある状態で取り付けられて示されており、この場合、容器１２は、容器１２の上部において実質的な水平な軸を中心に回転するように構成されている。
【００２５】
図１及び図２に示されているブラケット３４は、壁表面３６に対して実質的に平行に延在するプレート３８を含む。プレート３８は、任意の形状及びサイズを有することができ、図示されている実施形態では、実質的に矩形であり、容器１２の上面１４から実質的に水平方向に離間した場所から、容器１２の底面１６から水平方向及び垂直方向に離間した場所まで延在している。他の実施形態では、プレート３８は容器１２の長さ及び／又は幅の全体に延在することができるが、他の実施形態では、プレート２８は、容器１２の長さ及び／又は幅の全体には延在していない。
【００２６】
図示されているブラケット３４はまた、プレート３８から、壁表面３６から離れるように延在する少なくとも１つのアーム４０を含む。図示されているブラケット３４は２つのアーム４０を含み、当該２つのアーム４０間に容器１２が受け入れられる。各アーム４０は、容器１２の対応する突出部３０を受け入れるような形状及び寸法の孔４４を有する。孔４４はそれぞれ、（孔４４内で回転する突出部３０によって）ブラケット３４に対する容器１２の回転を可能にするようにプレート３８から離間している。
【００２７】
図示されている孔４４は、実質的に円錐形又は切頭円錐形の形状であり、容器１２の突出部３０と回転可能に一対になる。しかし、容器１２の突出部３０、例えば限定はされないが円筒形、半球形、平行六面体、及び他の規則的又は不規則的な突出部形状と一対になる（またいくつかの実施形態では回転可能に一対になる）他の好適な孔の形状が可能である。いくつかの実施形態では、突出部３０は、孔４４内で隙間嵌めによって一対になるが、他の実施形態では、孔４４は突出部３０よりも１つ又は複数の寸法が実質的に大きい。
【００２８】
図１及び図２に示されているディスペンサー１０の容器１２は、ブラケット３４の孔４４と回転可能に一対になる２つの突出部３０を有するが、いずれか又は両方の突出部３０及び孔４４の場所を他の実施形態では逆にすることができることが理解されるであろう。また、容器１２をブラケット３４と連結するために任意の数の対になる突出部及び孔を用いることができる。
【００２９】
上述したアーム４０に加えて、ブラケット３４の１つ又は複数の更なる部分が壁表面３６から延在していることで、容器１２から材料を分配供給するように容器１２がユーザーによって押圧されるときに容器１２を支持することができる。例えば、図１及び図２に示されているブラケット３４は、プレート３８に連結されているとともに壁表面３６から離れるように概ね延在している後方支持部４６を含む。後方支持部４６は、限定はされないがプレート３８と一体的である（例えばプレート３８と同じ材料片から形成される）ことを含む任意の好適な方法でプレート３８に連結することができ、プレート３８と相互に係合する要素を用いてプレート３８と連結することができ、締結具、接着剤、又は粘着結合材料を用いてプレート３８と連結することができる。後方支持部４６は、ユーザーが容器１２を押圧することによる圧縮力に抗して容器１２に対する支持を提供するのに好適な任意の形状を有することができる。図示されている実施形態では、後方支持部４６は、容器１２に向かって延在する第１のアーム４８及び第２のアーム５０と、第１のアーム４８及び第２のアーム５０を接合するとともにプレート３８から離間している第３のアーム５２とを含む。いくつかの実施形態では、容器１２は、図２に示されているような静止位置にある場合、第３のアーム５２に当接する。図示されている後方支持部４６の第３のアーム５２は、上面１４と底面１６との間で容器１２に接触する。
【００３０】
他の実施形態では、後方支持部４６は、例えば限定はされないが、プレート３８に連結されているか又はプレート３８によって画定されている弾性材料の円形若しくは丸みを帯びたループ、板ばね、又は容器１２の背後に位置決めされている他の種類のばね、容器１２の背後のプレート３８の湾曲した、波形若しくは弓形の部分、容器１２を保持するいずれか又は両方のアーム４０の延長部等、他の形状をとる。
【００３１】
後方支持部４６は弾性であり、そのため、容器１２が当該後方支持部４６に押し付けられると後方支持部４６が容器１２に対して反力を加え、かつ、容器１２に対する力が取り除かれた後でその元の形状（又は実質的にその元の形状）に戻る。後方支持部４６を用いて、容器１２から材料を分配供給するように容器１２をユーザーと後方支持部４６の１つ又は複数の表面との間で圧搾させること等によって容器１２からの材料の分配供給を助けることができる。ユーザーは、容器１２を、手、腕、肘、肩、膝、脚等で押圧することができる。後方支持部４６は、ユーザーが容器１２を把持する必要なくユーザーが容器１２から材料を容易に分配供給することを可能にする。これは、肉屋、病院、診療所、及び、容器１２又はディスペンサー１０の他の部分に触れるのにユーザーの手を用いるべきではない他の場所のような場所において望ましいであろう。図１及び図２の示される実施形態のディスペンサー１０は、容器１２から材料を分配供給するのにユーザーが体の別の部分（例えば手首、腕、肘、肩、膝及び／又は脚）を用いて容器１２を押圧することを可能にする。
【００３２】
図１及び図２に示されている容器１２は、ブラケット３４に回転可能に連結されており、それによって、ユーザーは、容器１２を後方支持部４６から離れるように回転させ、容器の前面１８及び後面２０を共に圧搾して容器１２から材料を分配供給することができる。そのようにすることができることによって、潜在的により多くの材料分配供給を得ることを好むユーザーが、容器１２を自身の指の間で、所望の力を用いて所望の長さの時間だけ圧搾することができることの制御を可能にする。また、容器１２とブラケット３４との間の回転可能な接続によって、容器１２、ブラケット３４及び壁表面３６（特に壁表面３６上でのブラケット３４の占有面積が容器１２の占有面積よりも大幅に小さい実施形態において）の容易な洗浄、並びに／又は容器１２の容易な再充填若しくは取り替えを可能にする。洗浄のし易さの改善は、容器１２及びブラケット３４が（肉屋及び病院におけるように）細菌若しくは他の病原体、汚れ、埃、デブリ、及び残渣に晒される場所、並びに／又は容器１２及びブラケット３４が、変色、若しくは汚れ、埃、デブリ及び残渣の存在が望ましくないような公の場にある場所では特に望ましい。
【００３３】
図１及び図２に示されている実施形態の容器１２は、上記でより詳細に説明したようにブラケット３４の第２の部分３７のロックを外すとともに該第２の部分３７を動かすことによってブラケット３４から取り外すことができる。他の実施形態では、容器１２は、アーム４０のうちの一方を容器１２から離すように曲げ、かつ／又は別のロック機構（図示せず）を解放してアーム４０のうちの一方を外方へ枢動させることを可能にすることによって、ブラケット３４から取り外すことができる。容器１２は、空になると、リサイクルされ、再充填され、かつ／又は取り替えることができる。
【００３４】
図３は、本発明によるディスペンサーの別の実施形態を示す。この実施形態は、図１及び図２と関連して上述したディスペンサー１０の実施形態と同じ構造の大部分を採用しており、かつ、当該実施形態と同じ特性の多くを有している。したがって、以下の説明は、図１及び図２と関連して上述した実施形態とは異なる構造及び特徴に主に焦点を当てる。上記の構造及び特徴に関する、並びに図３に示されるとともに以下で記載されるディスペンサー１１０の構造及び特徴に対する可能な代替形態に関する更なる情報については、図１及び図２と関連する上記の記載を参照されたい。図１及び図２と関連して上述した実施形態における特徴及び要素に対応する図３の実施形態における特徴及び要素には、１００番台の参照符号が付されている。
【００３５】
図１及び図２に示されているディスペンサー１０と同様に、図３に示されているディスペンサー１１０は、プレート１３８に連結されているとともに壁表面１３６から離れるように延在する第１のアーム１４８及び第２のアーム１５０を有する後方支持部１４６を有するブラケット１３４を含む。図示されている後方支持部１４６は、第１のアーム１４８及び第２のアーム１５０を接合するとともにプレート１３８から離間している（図２に示されている第３のアーム５２と同様の）第３のアームを含む。
【００３６】
図３に示されているディスペンサーは、容器１１２に連結されているカバー１６０を含む。カバー１６０は、フェースプレート１６２及び周壁１６４を含む。図示されているカバー１６０は、容器１１２の前面１１８、上面１１４、並びに第１の側面１２２及び第２の側面１２４を実質的に覆う。他の実施形態では、カバー１６０は、容器１１２の前面１８のみ、又は前面１１８と、上面１１４、底面１１６、第１の側面１２２、第２の側面１２４及び／又は後面１２０とのいずれかの組み合わせを実質的に覆う。いくつかの実施形態では、底面１１６の少なくとも一部が覆われていないことで、分配供給出口１３２を通した材料１２８の分配供給を可能にする。
【００３７】
カバー１６０は、例えば限定はされないが、金属、プラスチック、木材、ガラス繊維等の任意の所望の材料を含むことができ、いくつかの実施形態では異なる材料で作製される異なる部分を有することができる。単なる例として、カバー１６０は全体的にプラスチックから作製することができる。しかし、図３のような他の実施形態では、カバーは、フェースプレート１６２を画定する金属シートに重なっているプラスチックで作製することができる。図３の示されている実施形態では、カバー１６０のプラスチックの部分は、容器１１２の前面１１８、上面１１４、並びに第１の側面１２２及び第２の側面１２４を実質的に覆っており、容器１１２の前面１１８及び上面１１４を実質的に覆う金属のフェースプレート１６２に成形されている。他の実施形態では、カバー１６０の金属の部分は、接着剤又は粘着結合材料、クリップ又は他の締結具、スナップ嵌め等による任意の他の好適な方法でカバー１６０の残りの部分に連結される。
【００３８】
図３に示されているカバーはプラスチックで作製されており、フェースプレート１６２は金属で作製されているが、他の種類の材料の組み合わせ、例えば限定はされないが、容器１１２の前面１１８、上面１１４及び第１の側面１２２及び第２の側面１２４を実質的に覆うプラスチック部分、並びに木材、ガラス繊維、石、セラミック又は他の材料で作製されるフェースプレート１６２が可能である。
【００３９】
図３に示されているカバー１６０を引き続き参照すると、カバー１６０は、示されているＢｒａｎｄｉｎｇのような印１６６を含むことができる。印１６６は、特定のブランド名又はシンボル、使用説明書、又は任意の他の所望の情報を示すことができる。ブランド表示（branding）、及びカバーの色、色調及びテクスチャーの任意の組み合わせを所望に応じて用いることができる。例えば、カバーに印１６６を印刷することの代替として、印１６６をカバー１６０に彫刻するか、スタンピングするか、プレスするか、機械加工するか、成形するか又はエンボス加工して、カバー１６０の周囲部分内に窪ませるか又は当該周囲部分の上に隆起させることができる。
【００４０】
別の例として、透明又は半透明なプラスチック又はガラスのカバー１６０の場合等、印１６６をフェースプレート１６２の後側に印刷することができる。図示されている印１６６は、下層の明色と対照をなす暗色で示されているが、色、色調及びテクスチャーの任意の組み合わせを所望に応じて用いることができる。
【００４１】
図１及び図２の実施形態と関連して上述したように、後方支持部１４６は弾性であり、そのため、容器１１２及びそれぞれのカバー１６０、１８０が後方支持部１４６に対して押し上げられると、後方支持部１４６が反力をもたらし、容器１１２がユーザーと後方支持部１４６との間で圧搾される。したがって、後方支持部１４６を用いて、容器１１２からの材料１２８の分配供給を助けることができる。
【００４２】
図３に示されている容器１１２は、ブラケット１３４に対して枢動可能に動くようにカバー１６０に連結されている。これに関して、カバー１６０は、当該カバー１６０が動くときに容器１１２を動かすように容器１１２を十分に囲んでいるとともに容器１１２と十分に係合している。例えば、図３に示されているカバー１６０は、それらのそれぞれの容器１１２の前面１１８、上面１１４、並びに第１の側面１２２及び第２の側面１２４を実質的に囲み、そのような係合によって、それらのそれぞれのカバー１６０が動くと容器１１２が動く。いくつかの実施形態では、カバー１６０はこのために容器１１２の１つ又は複数の部分を把持するか、又は、容器１１２をカバー１６０とともに動かすように容器１１２の１つ又は複数の部分に解放可能に取着される。したがって、ユーザーは、容器１１２を後方支持部１４６から離れるように回転させ、カバー１６０、１８０及び容器１１２を自身の指の間で圧搾することができ、これによって更に、容器１１２の前面１１８及び後面１２０がともに圧搾されて、容器１１２から材料が分配供給される。
【００４３】
上述したカバー１６０は、ディスペンサー１１０の容易な洗浄及び使用済みの容器１１２の取り替え又は再充填を可能にすることができる。これは、容器１１２、カバー１６０及びブラケット１３４が肉屋、ホテルの客室及び病院におけるようにかなりの細菌若しくは他の病原体、汚れ、埃、デブリ、又は残渣に晒される場所、並びに／又は容器１１２、カバー１６０、１８０及びブラケット１３４が、変色、又は、汚れ、埃、デブリ若しくは残渣の存在が特に望ましくないような公の場にある場所では望ましいであろう。
【００４４】
図３に示されている容器１１２は、上述したように容器１１２をブラケット１３４から係脱させ、容器１１２を引っ張ってカバー１６０から出すことによってカバー１６０から取り外すことができる。容器１１２は、空になると、リサイクルされ、再充填され、かつ／又は取り替えることができる。
【００４５】
上述され、図１乃至図３に示されているディスペンサーの実施形態における容器１２、１１２とブラケット３４、１３４との関係により、ディスペンサー１０、１１０のいくつかの実施形態を、複数の方法、例えばユーザーが自身の体の一部（例えば手、手首、腕等）をディスペンサーに押し当てて容器１２、１１２から材料を分配供給すること、及び／又はユーザーが容器１２、１１２を（カバー６０、１６０を用いる場合はこれらのカバーとともに）ブラケット３４、１３４から離れるように回転させて容器１２、１１２を圧搾することによって作動させることができることが理解されるであろう。この汎用性は、ディスペンサー３４、１３４を様々なやり方で操作することを望むユーザーに有意な利点を提示し、かつ、様々な用途及び環境に良く適したディスペンサー３４、１３４を提供する。
【００４６】
上述され、図面に示されている実施形態は、単に例として提示されており、本発明の概念及び原理を限定するものとしては意図されない。したがって、当業者には、本発明の精神及び範囲から逸脱することなく要素並びにそれらの構成及び配置における種々の変更が可能であることが理解されるであろう。本発明の種々の特徴及び利点は添付の特許請求の範囲に記載されている。
【図１】
0005491620.tif 000002
【図２】
0005491620.tif 000003
【図３】
0005491620.tif 000004
【図４】
0005491620.tif 000005
【図５】
0005491620.tif 000006